(57)【要約】【課題】生体インピーダンス測定装置を開示する。【解決手段】本発明の実施形態にかかる生体インピーダンス測定装置は、生体インピーダンス測定のために複数の電極を提供し、提供された複数の電極のうち身体と接触している電極を感知し、前記感知結果に基づいて身体と接触している電極がどのように使用されているかを判断する。【選択図】図１
2016067877.tif 000002
【特許請求の範囲】
【請求項１】
生体インピーダンス測定装置であって、
生体インピーダンス測定のために複数の電極を提供し、
提供された前記複数の電極のうち身体と接触している電極がどのように使用されているかを判断する、
生体インピーダンス測定装置。
【請求項２】
前記生体インピーダンス測定装置は、
提供された前記複数の電極のうち身体と接触している電極を感知し、
前記感知結果に基づいて前記身体と接触している電極がどのように使用されているかを判断する、
請求項１に記載の生体インピーダンス測定装置。
【請求項３】
前記身体と接触している電極を電流電極にスイッチングしたり、前記電極を電圧電極にスイッチングしたり、オープンしたりするスイッチが前記電極とインピーダンス測定回路の間に備えられ、
前記スイッチの動作に基づいて前記電極がどのように使用されているかを判断することを特徴とする、請求項１に記載の生体インピーダンス測定装置。
【請求項４】
前記身体と接触している電極を感知し、前記身体の長さを測定する、請求項１に記載の生体インピーダンス測定装置。
【請求項５】
前記身体と接触している電極の個数および前記電極間の間隔に基づいて前記身体の長さが測定される、請求項４に記載の生体インピーダンス測定装置。
【請求項６】
前記電極に接触する身体は、足の裏、手の平、足首、腰、胴体、上腕、太もものうち１つであって、どのように使用されているかが判断される前記電極は、提供された前記複数の電極のうち前記足の裏、手の平、足首、腰、胴体、上腕、太もものうちの少なくとも１つと接触することによって感知された電極である、
請求項１に記載の生体インピーダンス測定装置。
【請求項７】
前記スイッチの動作を制御する制御部
をさらに備えることを特徴とする、請求項２に記載の生体インピーダンス測定装置。
【請求項８】
前記制御部は、前記足が接触している電極のうち、第１領域に位置した電極は電流電極にスイッチングし、第２領域に位置した電極は電圧電極にスイッチングし、前記第１領域と前記第２領域は、前記足が接触している領域内で互いに離隔して位置することを特徴とする、請求項７に記載の生体インピーダンス測定装置。
【請求項９】
前記生体インピーダンス測定装置には、被測定者の両足それぞれに接触する足板が備えられ、
前記複数の電極は、前記足板の上面全体に配列されることを特徴とする、請求項１に記載の生体インピーダンス測定装置。
【請求項１０】
前記複数の電極は、前記被測定者の両足それぞれに接触する足板の中端に配列され、前記足板の前端には電流電極が配列され、前記足板の後端には電圧電極が配列されることを特徴とする、請求項１に記載の生体インピーダンス測定装置。
【請求項１１】
生体インピーダンス測定装置の動作方法であって、
生体インピーダンス測定のために提供された複数の電極のうち身体と接触している電極を感知し、
前記感知結果に基づいて身体と接触している電極がどのように使用されているかを判断する、生体インピーダンス測定装置の動作方法。
【請求項１２】
前記身体と接触している電極を感知し、前記身体の長さを測定すること
をさらに含む、請求項１１に記載の生体インピーダンス測定装置の動作方法。
【請求項１３】
前記身体と接触している電極の個数および前記電極間の間隔に基づいて前記身体の長さを測定すること
をさらに含む、請求項１２に記載の生体インピーダンス測定装置の動作方法。
【請求項１４】
前記長さを測定することは、さらに生体インピーダンスに基づいて前記身体の長さを測定することを特徴とする、
請求項１３に記載の生体インピーダンス測定装置の動作方法。
【請求項１５】
前記電極に接触する身体は足であり、どのように使用されているかが判断される前記電極は、前記提供された複数の電極のうち前記足と接触することによって感知された電極である、
請求項１２に記載の生体インピーダンス測定装置の動作方法。
【発明の詳細な説明】
【技術分野】
【０００１】
本明細書に記載された多様な実施形態は、生体インピーダンス測定装置およびその装置の動作方法に関する。
【背景技術】
【０００２】
生体インピーダンスを測定するためには、電流電極と電圧電極が必要となる。電流電極は人体に電流を印加するためのものであり、電圧電極は人体の電圧を測定するためのものである。従来は、足の裏を接触させるタッチ式電極と、かかとと接触させるタッチ式電極とを利用して生体インピーダンスを測定していた。しかし、このような形態の測定装置は、足の裏とかかとを正確にタッチ式電極に接触させなければならないという問題点があった。
【０００３】
公開特許第１０−２００８−０１０２５８１号では、このような問題点を解決するために、電圧電極と電流電極を交互に配列する足板の形態を開示している。この公開特許によると、被測定者は分離している電極に足の裏とかかとを接触させるための努力をしなくとも、容易に生体インピーダンスを測定することができると開示されている。
【０００４】
しかし、生体インピーダンス測定の精密度を向上させるためには、電圧電極と電流電極を最大限離隔させる必要がある。上述した公開特許に開示されている足板は、電圧電極と電流電極が交互に配列されているため、電圧電極と電流電極を離隔することによって精密度を向上させるのは困難である。また、この公開特許に開示されている電極は再設定することができず、電圧電極または電流電極に固定されているため、被測定者の身体条件に合った測定をなすことができない。さらに、米国公開特許２００５−０２２８４４９および米国登録特許６８５０７９８でも、複数の電極を利用して人間または動物の生体インピーダンスを測定する技術を開示しているが、測定者の姿勢に関係なく被測定者の生体インピーダンスを精密に測定できるようにするため多くの電極をスイッチングしない。
【０００５】
したがって、被測定者の身体条件に合うように電極の特性を再設定することができる上に、電極の稼働範囲を調節することができる生体インピーダンス測定装置が求められている。
【発明の概要】
【発明が解決しようとする課題】
【０００６】
本明細書に記載された多様な実施形態は、生体インピーダンス測定装置に接触している被測定者の多様な身体部位の生体インピーダンスを精密に測定することができる生体インピーダンス測定装置を提供することを目的とする。
【課題を解決するための手段】
【０００７】
本発明の一実施形態によると、生体インピーダンス測定装置は、生体インピーダンス測定のために複数の電極を提供し、提供された複数の電極のうち身体と接触した電極がどのように使用されているかを判断する。
【０００８】
前記生体インピーダンス測定装置は、提供された複数の電極のうち身体と接触している電極を感知し、前記感知結果に基づいて身体と接触している電極がどのように使用されているかを判断してもよい。
【０００９】
前記生体インピーダンス測定装置は、身体と接触している電極を電流電極にスイッチングしたり、前記電極を電圧電極にスイッチングしたり、オープンしたりするスイッチが前記電極とインピーダンス測定回路の間に備えられ、前記スイッチの動作に基づいて前記電極がどのように使用されているかを判断してもよい。
【００１０】
前記電極に接触する身体は、足の裏、手の平、足首、腰、胴体、上腕、太もものうちの１つであり、どのように使用されているかが判断される電極は、提供された複数の電極のうちの前記足の裏、手の平、足首、腰、胴体、上腕、太もものうち１つとの接触によって感知された電極であってもよい。
【００１１】
本発明の一実施形態によると、生体インピーダンス測定装置の動作方法は、生体インピーダンス測定のために提供された複数の電極のうちの身体と接触している電極を感知し、および前記感知結果に基づいて身体と接触している電極がどのように使用されているかを判断することを含む。
【発明の効果】
【００１２】
本明細書に記載された多様な実施形態によると、被測定者は測定対象である身体部位の位置を調整するための努力をしなくとも、容易に生体インピーダンスを測定することができる。
【００１３】
また、本明細書に記載された多様な実施形態によると、多様な身体部位の面積に関係なく生体インピーダンスを精密に測定することができる。
【００１４】
また、本明細書に記載された多様な実施形態によると、電流の印加位置と電圧の測定位置を十分に離隔させることにより、生体インピーダンス測定の精密度を向上させることができる。
【００１５】
また、本明細書に記載された多様な実施形態によると、適切な位置に電流を印加して電圧を測定することにより、生体インピーダンス測定の精密度を向上させることができる。
【００１６】
さらに、本明細書に記載された多様な実施形態によると、被測定者の身体が接触していない電極をオープンすることにより、生体インピーダンス測定の精密度を向上させることができる。
【図面の簡単な説明】
【００１７】
【図１】一実施形態に係る生体インピーダンス測定装置の足板と電極を示した図である。
【図２】腹部、腕、および脚の生体インピーダンスを測定するためのパッドの形態を示した図である。
【図３】一実施形態に係る生体インピーダンス測定装置を示したブロック図である。
【図４】一実施形態に係る電極の配列を示した図である。
【図５】一実施形態に係る電極の配列を示した図である。
【図６】一実施形態に係る生体インピーダンス測定装置の動作方法を示したフローチャートである。
【発明を実施するための形態】
【００１８】
以下、添付の図面を参照しながら、実施形態について詳細に説明する。各図面に提示された同一の参照符号は、同一の部材を示す。
【００１９】
図１は、一実施形態に係る生体インピーダンス測定装置の足板と電極を示した図である。
【００２０】
図１を参照すると、本発明の生体インピーダンス測定装置は、足板１０と電極１１０を備える。また、本発明の生体インピーダンス測定装置は、図に示してはいないが、生体インピーダンスを測定するために一般的に求められる構成であるディスプレイ部、操作部、上部体、支持部材などを備えてもよい。
【００２１】
生体インピーダンス測定装置は、生体インピーダンス測定のために複数の電極１１０を提供し、提供された複数の電極１１０のうち身体と接触した電極１１０がどのように使用されているかを判断してもよい。生体インピーダンス測定装置は電極１１０を感知し、感知結果に基づいて身体と接触している電極１１０がどのように使用されているかを判断してもよい。
【００２２】
このとき、電極１１０と接触する身体は、身体の一部である足の裏、手の平、足首、腰、胴体、上腕、太もものうちの１つであってもよく、どのように使用されているかが判断される電極１１０は、提供された複数の電極１１０のうち足の裏、手の平、足首、腰、胴体、上腕、太もものうちの１つと接触することによって感知された電極１１０であってもよい。
【００２３】
生体インピーダンス測定装置は、身体と接触している電極１１０を感知して身体の長さを測定してもよい。また、生体インピーダンス測定装置は、身体と接触している電極１１０の個数および電極１１０間の間隔に基づいて身体の長さを測定してもよい。生体インピーダンス測定装置は、スイッチの動作に基づいて電極１１０がどのように使用されているかを判断してもよい。
【００２４】
生体インピーダンス測定装置は、身体と接触している電極を感知して身体の長さを測定してもよい。また、生体インピーダンス測定装置は、身体と接触している電極の個数および電極間の間隔に基づいて身体の長さを測定してもよい。生体インピーダンス測定装置は、さらに生体インピーダンスに基づいて身体の長さを測定してもよい。
【００２５】
足板１０は、被測定者の両足それぞれに接触する場所であって、被測定者が乗ることができる形態を有する。図１には四角形の形態で示されているが、足板１０は、被測定者が生体インピーダンスを測定するために乗ることができる多様な形態を有してもよい。図１に示す電極１１０の配列は１つの例示に過ぎず、電極１１０は多様な配列形態を有してもよい。
【００２６】
電極１１０は、足板１０上部の少なくとも一部に配列されてもよい。電極１１０は、足板１０の上部に多様な形態に配列されてもよい。電極１１０は、足板１０の上部に全体的に配列されてもよい。電極１１０の構造と動作については、図３を参照しながら詳細に説明する。
【００２７】
生体インピーダンス測定装置は、足板１０の他にも、被測定者の多様な身体部位の生体インピーダンスを測定するためのパッドと支持部材を備えてもよい。例えば、生体インピーダンス測定装置は、手、足、腹部などと接触することができる多様なパッドを備えてもよい。多様なパッドの形態については、図２を参照しながら詳細に説明する。
【００２８】
図２は、胴体、腕、および脚の生体インピーダンスを測定するためのパッドの形態を示した図である。
【００２９】
図２を参照すると、腹部の生体インピーダンスを測定するためのパッド２０、腕や脚の生体インピーダンスを測定するためのパッド３０、およびパッド２０、３０に配置された電極１１０が示されている。
【００３０】
パッド２０は、腹部に接触することができる形態を有する。パッド２０は、多様な長さおよび幅を有してもよい。パッド２０は、被測定者の腹部に接触可能なように横形態または縦形態を有してもよい。
【００３１】
パッド２０は、被測定者の腹部に容易に接触することができるように平面または曲面形態で構成されてもよい。また、パッド２０は、被測定者の腹部に容易に接触することができるようにフレキシブル（ｆｌｅｘｉｂｌｅ）素材で構成されてもよい。
【００３２】
パッド２０は、複数の電極１１０を備えてもよい。このとき、生体インピーダンス測定装置は、被測定者の腹部と接触している電極１１０を感知してもよい。また、生体インピーダンス測定装置は、感知結果に基づき、被測定者の腹部と接触している電極１１０がどのように使用されているかを判断してもよい。
【００３３】
生体インピーダンス測定装置は、被測定者の腹部と接触している電極１１０を感知して腹部の長さや面積を測定してもよい。また、生体インピーダンス測定装置は、被測定者の腹部と接触している電極１１０の個数および電極１１０間の間隔に基づいて腹部の長さや面積を測定してもよい。
【００３４】
パッド３０は、腕や脚に接触することができる形態を有する。パッド３０は、多様な長さおよび幅を有してもよい。パッド３０は、被測定者の腕や脚に接触可能なように横形態または縦形態を有してもよい。パッド３０は一対で構成されてもよい。
【００３５】
パッド３０は、被測定者の腕や脚に容易に接触することができるように平面または曲面形態で構成されてもよい。また、パッド３０は、被測定者の腹部に容易に接触することができるようにフレキシブル（ｆｌｅｘｉｂｌｅ）素材で構成されてもよい。
【００３６】
パッド３０は、複数の電極１１０を備えてもよい。このとき、生体インピーダンス測定装置は、被測定者の腕や脚と接触している電極１１０を感知してもよい。また、生体インピーダンス測定装置は、感知結果に基づき、被測定者の腕や脚と接触している電極１１０がどのように使用されているかを判断してもよい。
【００３７】
生体インピーダンス測定装置は、被測定者の腕や脚と接触している電極１１０を感知して腕や脚の長さや面積を測定してもよい。また、生体インピーダンス測定装置は、被測定者の腕や脚と接触している電極１１０の個数および電極１１０間の間隔に基づいて腕や脚の長さや面積を測定してもよい。
【００３８】
図３は、一実施形態に係る生体インピーダンス測定装置を示したブロック図である。
【００３９】
図３を参照すると、生体インピーダンス測定装置は、電極１１０およびスイッチ１２０を備える。また、生体インピーダンス測定装置は、制御部１３０、電流印加部１４０、電圧測定部１５０、およびインピーダンス測定回路１６０を備えてもよい。
【００４０】
電極１１０は、生体インピーダンスを測定するために足板１０やパッド２０、３０に露出させてもよい。電極は、再設定可能な（ｒｅｃｏｎｆｉｇｕｒａｂｌｅ）電極であってもよい。すなわち、電極１１０は、その特性が被測定者の電圧を測定する電圧電極であるか、被測定者に電流を印加する電流電極であるかに特定されない電極であってもよい。電極１１０は被測定者の身体と接触する導体であり、スイッチ１２０のスイッチング動作に応じてその特性が決定されてもよい。
【００４１】
スイッチ１２０は、電極１１０の特性を決める。すなわち、スイッチは、電極１１０を電流電極にスイッチングしたり、電極１１０を電圧電極にスイッチングしたりしてもよい。さらに、スイッチは、電極１１０をオープンしてもよい。
【００４２】
スイッチ１２０は、電極１１０を電流印加部１４０と接続させることによって電極１１０を電流電極にスイッチングしてもよい。また、スイッチ１２０は、電極１１０を電圧測定部１５０と接続させることによって電極１１０を電圧電極にスイッチングしてもよい。スイッチ１２０は、電極１１０とインピーダンス測定回路１６０の間に位置してもよい。
【００４３】
電流印加部１４０は、電極１１０を通じて足板１０やパッド２０、３０に接触した被測定者の身体の一部に電流を印加する。図に示してはいないが、電流印加部１４０は、被測定者に電流を印加するための電圧供給部と接続されてもよい。印加される電流の量は、制御部１３０によって決定されてもよい。
【００４４】
電圧測定部１５０は、電極１１０を通じて被測定者の電圧を測定する。被測定者の身体は電極１１０と接触することによって１つの抵抗を構成するため、電圧測定部１５０は、電流印加部１４０によって印加された電流を通じて被測定者の電圧を測定してもよい。電圧測定部１５０によって測定された被測定者の電圧は、インピーダンス測定回路１６０に伝達されてもよい。
【００４５】
インピーダンス測定回路１６０は、被測定者の生体インピーダンスを測定してもよい。インピーダンス測定回路１６０は、電流印加部１４０によって印加された電流の大きさと電圧測定部１５０によって測定された電圧の大きさによって被測定者の生体インピーダンスを測定してもよい。インピーダンス測定回路１６０は、被測定者の身体に対して一定の部位別にインピーダンスを測定してもよい。本明細書で別途記載しなくても、インピーダンス測定回路１６０は、一般的に知られた生体インピーダンス測定動作を実行してもよい。
【００４６】
制御部１３０は、スイッチ１２０のスイッチング動作を制御する。
【００４７】
制御部１３０は、スイッチ１２０が電流電極として動作するように、スイッチ１２０を電流印加部１４０に接続してもよい。また、制御部１３０は、スイッチが電圧電極として動作するように、スイッチ１２０を電圧測定部１５０に接続してもよい。さらに、制御部１３０は、スイッチをオープンしてもよい。
【００４８】
制御部１３０は、生体インピーダンスを測定するために、足板１０やパッド２０、３０に置かれた被測定者の身体の位置に応じ、被測定者の身体が接触している電極１１０を感知してもよい。被測定者の身体は、被測定者の足、腹部、腕、脚などであってもよい。制御部１３０は、感知結果に基づき、スイッチ１２０が電極１１０を電流電極にスイッチングしたり、電極１１０を電圧電極にスイッチングしたり、オープンしたりするようにスイッチ１２０を制御してもよい。
【００４９】
例えば、制御部１３０は、被測定者の身体が接触している電極１１０を電流電極にスイッチングしたり、電極１１０を電圧電極にスイッチングしたりし、被測定者の身体が接触していない電極１１０はオープンするようにスイッチ１２０を制御してもよい。
【００５０】
このように、本発明の生体インピーダンス測定装置は、電極１１０を再設定することによって電圧電極と電流電極を十分に離隔させることができるため、生体インピーダンス測定の精密度を向上させることができる。また、本発明の生体インピーダンス測定装置は、足の大きさに応じて電極１１０をスイッチングするため、被測定者は足の位置を調整するための努力をしなくとも、便利に生体インピーダンスを測定することができる。また、本発明の生体インピーダンス測定装置は、足の大きさに関係なく生体インピーダンスを精密に測定することができる。さらに、本発明の生体インピーダンス測定装置は、接触していない電極をオープンすることによって生体インピーダンス測定の精密度を向上させ、生体インピーダンス測定によって消費する電力の効率を高めることができる。
【００５１】
また、制御部１３０は、被測定者の身体が接触している電極１１０のうち、第１領域に位置した電極１１０は電流電極にスイッチングし、第２領域に位置した電極１１０は電圧電極にスイッチングしてもよい。このとき、第１領域と第２領域は、被測定者の身体が接触している領域内で互いに離隔して位置する。例えば、被測定者の身体が足である場合、第１領域は足が接触したと感知された電極１１０のうち前端（足指付近）の一部領域であってもよく、第２領域は足が接触したと感知された電極１１０うち後端（かかと付近）の一部領域であってもよい。
【００５２】
本発明の一実施形態によると、本発明の電極１１０は、一般的な電極と混用して足板１０に配列されてもよい。一般的に、足の前端には電流電極が配列され、後端には電圧電極が配列される。したがって、足板１０は、足板１０の前端には電流電極が配列され、足板１０の後端には電圧電極が配列され、足板１０の中端には電極１１０が配列される形態を有してもよい。
【００５３】
図４は、一実施形態に係る電極の配列を示した図である。
【００５４】
図４を参照すると、多様な形態に配列された電極が示されている。本発明の電極１１０は、（ａ）〜（ｄ）のような多様な形態に配列されてもよい。また、本発明の電極１００は、（ａ）〜（ｄ）の他にも、多様な形態に配列されてもよい。図４に示された電極の配列は例示に過ぎず、本発明の電極の配列が図４に示された配列に限定されたり、図４に示された電極の配列によって本発明の権利範囲が制限的に解釈されてはならない。
【００５５】
電極１１０は、被測定者の足の大きさを考慮して十分に広く配置されてもよい。電極１１０が被測定者の足の大きさに比べて広く配置された場合でも、電極１１０は被測定者の身体が接触した領域でのみ電圧電極または電流電極として動作するため、被測定者の身体部位に関係なく生体インピーダンスを精密に分析することができる。
【００５６】
また、電極１１０のうち、前端に位置した電極１１０は電流電極として動作してもよく、後端に位置した電極１１０は電圧電極として動作してもよい。前端の位置と後端の位置は、被測定者の足の大きさを考慮して決められてもよい。
【００５７】
被測定者の足の大きさは、接触が感知された電極１１０の分布によって決められてもよい。また、電圧電極または電流電極として動作する電極１１０の面積は、生体インピーダンス測定の精密度を考慮して決められてもよい。電極１１０は、足の裏の形状を含むことができる多様な形態に配列されてもよい。
【００５８】
電極１１０は、足板１０の上面全体に配列されてもよい。本発明の電極１１０は、足の位置や大きさに関係なく被測定者の生体インピーダンスを測定することができるため、両足の位置に対応する電極１１０が対称的な形状を有したり、電極１１０が特定の配列を有さなくてもよい。
【００５９】
足板１０の全体に配列された電極１１０のうち、被測定者の身体が感知された電極１１０だけが活性化するが、そのうち一部は電圧電極に、他の一部は電流電極にスイッチングされてもよい。したがって、本発明の電極１１０は、足板１０またはパッド２０、３０の上面全体に配列されていても被測定者の身体部位の位置と大きさを認識し、被測定者の生体インピーダンスを精密に測定することができる。
【００６０】
図５は、一実施形態に係る電極の配列を示した図である。
【００６１】
図５を参照すると、本発明の電極１１０と一般的な電極２１０が混用された配列が示されている。一般的な電極２１０は、一般的な電圧電極または一般的な電流電極であってもよい。図５に示された電極の配列は、本発明の電極１１０が一般的な電極２１０と混用して配列できることを示した例示に過ぎず、本発明の電極の配列が図５に示された配列に限定されたり、図５に示された電極の配列によって本発明の権利範囲が制限的に解釈されてはならない。
【００６２】
図５の（ａ）は、電極１１０が中端に配列され、前端と後端に電極２１０が配列された場合を示している。本発明の一実施形態によると、中端に電極１１０が配列され、前端に電流電極が配列され、後端に電圧電極が配列されてもよい。他の実施形態によると、中端に電極１１０が配列され、前端に電圧電極が配列され、後端に電流電極が配列されてもよい。また、図５の（ｂ）〜（ｄ）に示すように、電極１１０と電極２１０は多様な位置と多様な割合で混合して配列されてもよい。
【００６３】
図６は、一実施形態に係る生体インピーダンス測定装置の動作方法を示したフローチャートである。
【００６４】
図６を参照すると、ステップ３１０で、生体インピーダンス測定装置は、生体インピーダンス測定のために複数の電極を提供する。
【００６５】
ステップ３２０で、生体インピーダンス測定装置は、提供された複数の電極のうち身体と接触している電極１１０がどのように使用されているかを判断する。生体インピーダンス測定装置は、生体インピーダンスを測定するために提供された複数の電極１１０のうち身体と接触している電極を感知してもよい。このとき、電極に接触する身体は、足の裏、手の平、足首、腰、胴体、上腕、太もものうちの１つであってもよく、どのように使用されているかが判断される電極は、提供された複数の電極のうち、足の裏、手の平、足首、腰、胴体、上腕、太もものうちの１つと接触することによって感知された電極であってもよい。生体インピーダンス測定装置は、感知結果に基づいて電極１１０がどのように使用されているかを判断してもよい。
【００６６】
生体インピーダンス測定装置は、複数の電極１１０のうち少なくとも一部を電流電極にスイッチングしたり、電圧電極にスイッチングしたり、オープンしたりしてもよい。身体と接触している電極を電流電極にスイッチングしたり、電極を電圧電極にスイッチングしたり、オープンしたりするスイッチは、電極とインピーダンス測定回路の間に備えられてもよい。生体インピーダンス測定装置は、スイッチの動作に基づいて電極がどのように使用されているかを判断してもよい。
【００６７】
生体インピーダンス測定装置は、身体と接触している電極を感知し、身体の長さを測定してもよい。また、生体インピーダンス測定装置は、身体と接触している電極の個数および電極間の間隔に基づいて身体の長さを測定してもよい。生体インピーダンス測定装置は、さらに生体インピーダンスに基づいて身体の長さを測定してもよい。
【００６８】
ステップ３２０は、足が接触している電極のうち、第１領域に位置した電極は電流電極にスイッチングし、第２領域に位置した電極は電圧電極にスイッチングすることを含んでもよい。このとき、第１領域と第２領域は、足が接触している領域内で互いに離隔して位置してよい。
【００６９】
さらに、ステップ３２０は、足が接触していない電極をオープンすることを含んでもよい。したがって、本発明の生体インピーダンス測定装置は、足が接触していない電極をオープンすることにより、生体インピーダンス測定によって消費する電力の効率を高めることができる。
【００７０】
本発明の生体インピーダンス測定装置は、このような動作を通じ、被測定者の足の位置や大きさに関係なく、被測定者の生体インピーダンスを精密に測定することができる。また、本発明の生体インピーダンス測定装置は、電流の印加位置と電圧の測定位置を十分に離隔させることにより、生体インピーダンス測定の精密度を向上させることができる。
【００７１】
実施形態に係る方法は、多様なコンピュータ手段によって実行が可能なプログラム命令形態で実現されてコンピュータで読み取り可能な媒体に記録されてもよい。コンピュータで読み取り可能な媒体は、プログラム命令、データファイル、データ構造などを単独または組み合わせて含んでもよい。媒体に記録されるプログラム命令は、実施形態のために特別に設計されて構成されたものであってもよく、コンピュータソフトウェア当業者に公知されて使用可能なものであってもよい。コンピュータで読み取り可能な記録媒体の例としては、ハードディスク、フロッピー（登録商標）ディスク、および磁気テープのような磁気媒体（ｍａｇｎｅｔｉｃ  ｍｅｄｉａ）、ＣＤ−ＲＯＭ、ＤＶＤのような光記録媒体（ｏｐｔｉｃａｌ  ｍｅｄｉａ）、フロプティカルディスク（ｆｌｏｐｔｉｃａｌ  ｄｉｓｋ）のような磁気−光媒体（ｍａｇｎｅｔｏ−ｏｐｔｉｃａｌ  ｍｅｄｉａ）、およびＲＯＭ、ＲＡＭ、フラッシュメモリなどのようなプログラム命令を格納して実行するように特別に構成されたハードウェア装置が含まれる。プログラム命令の例としては、コンパイラによって生成されるもののような機械語コードだけではなく、インタプリタなどを使用してコンピュータによって実行される高級言語コードを含む。上述したハードウェア装置は、実施形態の動作を実行するために１つ以上のソフトウェアモジュールとして作動するように構成されてもよく、その逆も同じである。
【００７２】
以上のように、実施形態を限定された実施形態と図面に基づいて説明したが、該当する技術分野において通常の知識を有する者であれば、上述した記載から多様な修正および変形が可能であることが理解できるであろう。例えば、説明された技術が説明された方法とは異なる順序で実行されたり、および／または説明されたシステム、構造、装置、回路などの構成要素が説明された方法とは異なる形態で結合または組み合わされたり、他の構成要素または均等物によって対置されたり置換されたとしても、適切な結果を達成することができる。
【００７３】
したがって、異なる実施形態であっても、特許請求の範囲と均等なものであれば、添付される特許請求の範囲に属する。
【図１】
2016067877.tif 000003
【図２】
2016067877.tif 000004
【図３】
2016067877.tif 000005
【図４】
2016067877.tif 000006
【図５】
2016067877.tif 000007
【図６】
2016067877.tif 000008